(57)【特許請求の範囲】
【請求項１】
撮像光学系により結像された被写体像の取得のための撮像素子を含む電子回路ユニットと、前記撮像光学系において被写体側に配される第１レンズの表面を露見させつつ前記撮像光学系および前記電子回路ユニットを収容する収容部材と、を備える撮像装置であって、
前記第１レンズの有効径の外方からの光の進入を防止すべく前記第１レンズにおける前記表面とは反対側の裏面に接触して設けられ、導電性を有する遮光部材を備え、
前記第１レンズは、前記遮光部材を介して前記電子回路ユニットにおける回路基準電位位置に接続されていることを特徴とする撮像装置。
【請求項２】
請求項１に記載の撮像装置であって、
さらに、前記撮像光学系の各光学部材における互いの対向面間の撮影光軸方向の間隔を所定の値に保持し導電性を有する間隔環を備え、
前記第１レンズは、前記遮光部材および前記間隔環を介して前記回路基準電位位置に接続されていることを特徴とする撮像装置。
【請求項３】
請求項１または請求項２に記載の撮像装置であって、
さらに、前記収容部材の内方において前記電子回路ユニットの周囲に設けられ導電性を有する電磁シールドを備え、
前記第１レンズは、前記遮光部材および前記電磁シールドを介して前記回路基準電位位置に接続されていることを特徴とする撮像装置。
【請求項４】
前記間隔環は、前記第１レンズの前記裏面に前記遮光部材を介して接触して設けられていることを特徴とする請求項２に記載の撮像装置。
【請求項５】
前記第１レンズの前記裏面と前記収容部材との間には、撮影光軸を取り巻く環状の封止部材が設けられ、
前記間隔環は、前記封止部材の内方において前記第１レンズの前記裏面に前記遮光部材を介して接触していることを特徴とする請求項４に記載の撮像装置。
【請求項６】
請求項１から請求項５のいずれか１項に記載の撮像装置であって、
さらに、前記電子回路ユニットを前記収容部材の外方へと接続する接続部を備え、
前記回路基準電位位置は、前記接続部を介して前記収容部材の外方の外部基準電位位置に接続されていることを特徴とする撮像装置。
【請求項７】
前記遮光部材は、黒色であることを特徴とする請求項１から請求項６のいずれか１項に記載の撮像装置。
【発明の詳細な説明】
【技術分野】
【０００１】
本発明は、デジタルカメラ、デジタルビデオカメラ、トイカメラ等として用いられる撮像装置に関し、特に、車載カメラや監視カメラに好適な撮像装置に関する。
【背景技術】
【０００２】
従来、撮像用のレンズ等の光学素子を有する撮像光学系により結像された被写体像の取得のための撮像素子を含む電子回路ユニットを有する撮像装置が知られている。このような撮像装置では、撮像光学系および電子回路ユニットを絶縁物からなる筐体で収容し、その筐体の外周面に導電性部を設けるとともに、その導電性部を電子回路ユニットの基準電位もしくはグランドレベルに接続する構成とすることが考えられている（例えば、特許文献１参照）。この撮像装置では、人体の静電気が電子回路ユニット（その電気回路）に侵入することを防止することができ、静電気に起因する電子回路ユニットの誤作動やその電子部品等への悪影響を防止することができる。
【０００３】
ここで、上記したように撮像光学系および電子回路ユニットを有する撮像装置は、例えば、車両における運転者の視認を支援する車載カメラや、ＡＴＭ（Ａｕｔｏｍａｔｅｄ  Ｔｅｌｌｅｒ  Ｍａｃｈｉｎｅ）に搭載する監視カメラ等として広く適用することが考えられており、性能を確保することが求められている。このような撮像装置では、屋外に設置されることから、従来の撮像装置の導電性部による静電気対策に加えて、筐体内方への異物の進入を防ぐ封止対策や、撮像光学系のうちの最も被写体側に存在するレンズ（以下、第１レンズともいう）の表面が汚れることを防ぐ防汚対策が求められる。その封止対策としては、撮像光学系および電子回路ユニットを収容する筐体（収容部材）を第１レンズの表面を露出させる開口を有しつつ他の箇所を封止した構成として、第１レンズと筐体の開口との間にゴム等の弾性部材からなる封止部材を介在させることが行われている。また、防汚対策としては、例えば、シリカ（ＳｉＯ２）を第１レンズの表面にコーティングする（防汚膜を形成する）ことにより、水や塵埃等を付着し難くすることが行われている。
【発明の概要】
【発明が解決しようとする課題】
【０００４】
しかしながら、上述したように表面がコーティング（防汚膜が形成）されていても、第１レンズの表面には、静電気に起因して微小な塵埃が付着してしまう虞がある。このような塵埃は、微小ではあっても得られる画像の劣化を招く虞があることから、付着を低減することが望ましい。
【０００５】
本発明は、上記の事情に鑑みて為されたもので、絶縁物からなる収容部材に収容された撮像光学系における第１レンズの表面に塵埃が付着することを抑制することのできる撮像装置を提供することを目的とする。
【課題を解決するための手段】
【０００６】
請求項１に記載の撮像装置は、撮像光学系により結像された被写体像の取得のための撮像素子を含む電子回路ユニットと、前記撮像光学系において被写体側に配される第１レンズの表面を露見させつつ前記撮像光学系および前記電子回路ユニットを収容する収容部材と、を備える撮像装置であって、前記第１レンズの有効径の外方からの光の進入を防止すべく前記第１レンズにおける前記表面とは反対側の裏面に接触して設けられ、導電性を有する遮光部材を備え、前記第１レンズは、前記遮光部材を介して前記電子回路ユニットにおける回路基準電位位置に接続されていることを特徴とする。
【発明の効果】
【０００７】
請求項１に記載の撮像装置では、絶縁物からなる収容部材に収容された撮像光学系における第１レンズの表面に塵埃が付着することを抑制することができる。
【図面の簡単な説明】
【０００８】
【図１】撮像装置１０の概略的な構成を説明するための前側から見た説明図である。
【図２】撮像装置１０の概略的な構成を説明するための後側から見た説明図である。
【図３】図１のＩ−Ｉ線に沿って得られた撮像装置１０の模式的な断面図である。
【図４】接続コード１４の構成を説明するために模式的な断面で示す説明図である。
【図５】本願発明に係る撮像装置１０を車載カメラとして用いて構成した後方視認支援機構８０を説明するための説明図である。
【図６】撮像装置１０におけるレンズ２１ａの表面への塵埃の付着が抑制される様子を説明するための説明図であり、（ａ）はレンズ２１ａの裏面が基準電位もしくはグランドレベルに接続されていない場合を示し、（ｂ）はレンズ２１ａの裏面が基準電位もしくはグランドレベルに接続されている場合を示す。
【発明を実施するための形態】
【０００９】
以下に、本願発明に係る撮像装置の発明の実施の形態について図面を参照しつつ説明する。
【実施例】
【００１０】
先ず、本発明に係る撮像装置１０の概略的な構成を、図１から図４を用いて説明する。撮像装置１０は、筐体１１の内方に、撮像光学系２０と電子回路ユニット３０と、が収容されて大略構成されている。なお、以下では、撮像光学系２０の撮影光軸ＯＡに沿う方向で見て、撮像装置１０から被写体に向かう側（矢印ＯＡが指し示す方向）を前方と言い、その反対側を後方と言う。また、撮影光軸ＯＡを通りかつ当該撮影光軸ＯＡに直交する方向（撮影光軸ＯＡからの放射方向）を径方向と言う。
【００１１】
この筐体１１は、本実施例では、撮像光学系２０を支持する前側ケース１２と、電子回路ユニット３０を収容する後側ケース１３と、を有する。この前側ケース１２は、筐体１１の前側部分（前側筐体部）を構成しており、前側（一端側）の端面で撮像光学系２０の対物レンズ（この例では後述するレンズ２１ａ）の撮影光軸ＯＡに直交する方向（径方向）で見た周囲を取り囲む外表面Ｓを形成している。この前側ケース１２は、絶縁体で形成されており、本実施例では、プラスチック（合成樹脂）で形成されている。
【００１２】
前側ケース１２には、図３に示すように、撮像光学系２０を収容するための保持孔１２ａと、その前側の拡径部（後述する大内径部１２ｄ）において撮影光軸ＯＡを取り巻く封止用環状溝１２ｂと、前端面（外表面Ｓ）において保持孔１２ａを取り巻く取付溝１２ｃと、が設けられている。その保持孔１２ａは、撮影光軸ＯＡを軸線とする段付き円柱状の貫通孔であり、撮像光学系２０の後述する光学素子群２１を適切な位置および姿勢で保持することが可能とされている。保持孔１２ａは、前側（被写体側）から、後述する光学素子群２１としてのレンズ２１ａを受け入れることが可能な大内径部１２ｄと、そこと隣接し大内径部１２ｄよりも小さな内径寸法の中内径部１２ｅと、そこと隣接し中内径部１２ｅよりも小さな内径寸法の小内径部１２ｆと、を有する。この保持孔１２ａでは、大内径部１２ｄと中内径部１２ｅとの径寸法の差により、撮影光軸ＯＡ方向に直交する直交面１２ｇが形成されている。
【００１３】
この直交面１２ｇには、上述した封止用環状溝１２ｂが設けられている。この封止用環状溝１２ｂは、後述する封止部材２５を配置するための凹所であり、中内径部１２ｅを取り巻く環状を呈している。保持孔１２ａ（大内径部１２ｄ）を取り巻く取付溝１２ｃは、内周面にネジ山が設けられており、後述する抜止部材２４の後端部２４ｂを受け入れつつそのネジ山との噛み合いが可能とされている。また、保持孔１２ａでは、小内径部１２ｆの後側（後述する撮像素子３１側）すなわち前側ケース１２の後端（他端）に、後述するように保持する光学素子群２１（そのレンズ２１ｆ）の脱落を防止するための内縁突起部１２ｈが設けられている。この内縁突起部１２ｈは、小内径部１２ｆの後側の端部において径方向の内側へと突出して形成された環状を呈し、小内径部１２ｆの内径寸法よりも小さな径寸法の穴を形成している。
【００１４】
加えて、前側ケース１２には、後側ケース１３に対向される後端面に、４つの支持壁部１２ｉ（図３では、３つのみ図示）と第１接触用溝１２ｊとが設けられている。４つの支持壁部１２ｉは、径方向で見た内縁突起部１２ｈの外方において撮影光軸ＯＡを取り巻くように径方向で互いに直交する線上で対を為しており、後述する第１基板３２を支持する箇所となる。また、第１接触用溝１２ｊは、前側ケース１２の後端面において４つの支持壁部１２ｉを取り囲むように設けられた溝であり、後述する本体板金部３６の基端部３６ａの受け入れと、後述するフロント板金部３５の一端部３５ａの収容と、が可能とされている。
【００１５】
また、前側ケース１２には、保持孔１２ａの中内径部１２ｅの内周面に第２接触用溝１２ｋが設けられている。この第２接触用溝１２ｋは、撮影光軸ＯＡを取り巻くように中内径部１２ｅ（保持孔１２ａ）の内周面を開放しており、後述するフロント板金部３５の他端部３５ｂの収容が可能とされている。第２接触用溝１２ｋは、本実施例では、径方向で見て、４つの支持壁部１２ｉの内側の位置となる４箇所（図３では、２つのみ図示）に設けられている。
【００１６】
この前側ケース１２の後端に取り付けられる後側ケース１３は、筐体１１の後側部分（後側筐体部）を構成する。この後側ケース１３は、絶縁体で形成されており、本実施例では、プラスチック（合成樹脂）で形成されている。後側ケース１３は、一端開放の箱形状を呈し、後端側となる奥壁部１３ａと、そこから開放端側へと突出する筒状の周壁部１３ｂと、を有する。この後側ケース１３は、開放端からの電子回路ユニット３０の挿入が可能とされ、かつ前側ケース１２に取り付けられた状態の電子回路ユニット３０を収容可能な大きさ寸法（深さ寸法）とされている。このため、後側ケース１３では、撮影光軸ＯＡ方向が電子回路ユニット３０の挿入方向となる。後側ケース１３には、図２および図３に示すように、奥壁部１３ａの外壁面に、筐体１１すなわち撮像装置１０を所望の場所に取り付けるための２つの取付突起１３ｃが設けられている。この両取付突起１３ｃは、ネジ穴が設けられたボス部とされている。
【００１７】
また、後側ケース１３には、電子回路ユニット３０（後述する電子回路）へと電力を供給したり、電子回路ユニット３０の後述する撮像素子３１で取得した画像データを伝送したりするための接続コード１４が設けられている。この接続コード１４は、後側ケース１３に対して、外部との封止性能を有した状態での電子回路ユニット３０への接続を可能とされている。このため、接続コード１４は、電子回路ユニット３０を筐体１１の外方へと接続する接続部として機能する。接続コード１４は、本実施例では、後側ケース１３側となる一端にコネクタ部１４ａが設けられており、このコネクタ部１４ａが封止部材としてのＯリング１４ｂを介在させて、図示を略すネジ部材により後側ケース１３の後端面に固定されている。その他、封止性能を有する構成としては、後側ケース１３に接続穴（図示せず）を設け、そこに接続コード１４を挿入するとともに周囲を防水用接着剤で充填することや、接続コード１４（その被覆部材）を後側ケース１３と一体的に形成することがあげられる。
【００１８】
この接続コード１４は、図４に示すように、信号線１４ｃと電力線１４ｄとアース線１４ｅとを有する。その信号線１４ｃは、電子回路ユニット３０から出力された画像データを、外部機器へと伝送するための電線である。電力線１４ｄは、電子回路ユニット３０の後述する第１基板３２および第２基板３３により構成される電子回路に電力を供給するための電線である。アース線１４ｅは、外部機器における外部基準電位もしくはグランドレベルに電気的に接続される電線である。
【００１９】
このような構成の後側ケース１３は、弾性材料から為るＯリングや平パッキン等で形成した封止部材１５を介在させた状態で、前端面を前側ケース１２の後端面に付き合わされてネジ止め等で結合されることにより、互いの結合箇所における防水機能や防塵機能（以下、封止性能という）を有し、撮像光学系２０および電子回路ユニット３０を収容する筐体１１を形成する。このため、筐体１１は、収容部材として機能する。この筐体１１（収容部材）は、絶縁体であるプラスチック（合成樹脂）で形成されていることから、静電気放電防止の効果を得ることができるとともに、金属材料で構成されることに比較してコストの上昇を抑制することができる。
【００２０】
その筐体１１に収容される撮像光学系２０は、画像取得のために任意の位置に結像させるものであり、図３に示すように、少なくとも２つ以上の光学素子を有し、撮像装置１０（撮像光学系２０）において求められる光学性能に応じて適宜構成される。撮像光学系２０は、複数の光学素子から為る光学素子群２１が間隔環２２とともに前側ケース１２の保持孔１２ａに収容されて構成されている。
【００２１】
その間隔環２２は、光学素子群２１を保持孔１２ａ内に組み付ける際に、その光学素子群２１の各光学素子における互いの対向面間の撮影光軸ＯＡ方向での間隔を所定の値に保持する。間隔環２２は、撮影光軸ＯＡを軸線とする段付きの筒状を呈し、保持孔１２ａ内に挿入可能な大きさ寸法とされている。また、間隔環２２では、光学素子群２１のうちの所定の光学素子の収容を可能とする内径寸法とされている。間隔環２２は、本実施例では、保持孔１２ａにおける中内径部１２ｅへの挿入が可能であるとともに小内径部１２ｆへと挿入することのできない大きさ寸法とされ、所定の光学素子として後述するレンズ２１ｂおよびレンズ２１ｃを収容することのできる内径寸法とされている。
【００２２】
間隔環２２では、後側（後述する撮像素子３１側）すなわち後端側（他端側）に、内縁突起２２ａと絞り２２ｂとが設けられている。その内縁突起２２ａは、間隔環２２（その内方）に挿入された光学素子群２１のうちの所定の光学素子（本実施例では後述するレンズ２１ｃ）の脱落を防止する。絞り２２ｂは、光学素子群２１（撮像光学系２０）における有効径（有効光束径）を規定する。
【００２３】
この間隔環２２は、導電性を有する材料から形成されており、本実施例では、アルミニウムで形成されている。間隔環２２では、前側（被写体側）すなわち前端（一端）となる前端面２２ｃが、前側ケース１２の保持孔１２ａの中内径部１２ｅに配置された状態において、保持孔１２ａの直交面１２ｇと等しい面を形成する平坦面とされている。すなわち、間隔環２２は、撮影光軸ＯＡ方向で見た大きさ寸法が、保持孔１２ａの中内径部１２ｅと等しい設定とされている。この前側ケース１２の保持孔１２ａには、間隔環２２とともに光学素子群２１が収容される。
【００２４】
その光学素子群２１は、本実施例では、被写体（物体）側から順に、レンズ２１ａ、レンズ２１ｂ、レンズ２１ｃ、レンズ２１ｄ、レンズ２１ｅおよびレンズ２１ｆを有する。本実施例では、少なくともレンズ２１ａは、ガラスやプラスチック等の絶縁性の樹脂材料から形成されており、被写体（物体）側となる表面にシリカ（ＳｉＯ２）がコーティングされて水や塵埃等が付着し難くされた防汚対策が施されている。光学素子群２１では、レンズ２１ｄ、レンズ２１ｅおよびレンズ２１ｆが保持孔１２ａの小内径部１２ｆに収容され、レンズ２１ｂおよびレンズ２１ｃが保持孔１２ａの中内径部１２ｅ内で間隔環２２に収容され、レンズ２１ａが保持孔１２ａの大内径部１２ｄに収容される。このため、光学素子群２１では、レンズ２１ｃとレンズ２１ｄとの間に間隔環２２の絞り２２ｂが配されている。その間隔環２２は、レンズ２１ａ、レンズ２１ｂ、レンズ２１ｃおよびレンズ２１ｄにおける互いの対向面間の撮影光軸ＯＡ方向の間隔を所定の値に保持する。この光学素子群２１では、レンズ２１ａが最も被写体（物体）側に位置する第１レンズ（対物レンズ）となる。また、保持孔１２ａ（前側ケース１２）は、撮像光学系２０としての光学素子群２１を保持する鏡筒として機能する。なお、撮像光学系２０（光学素子群２１）では、適宜赤外線カットフィルタを設ける構成としてもよい。
【００２５】
加えて、本実施例では、レンズ２１ａの後側の面となる裏面に、遮光板２３が設けられている。この遮光板２３は、光学素子群２１（撮像光学系２０）におけるレンズ２１ａの有効径（有効光束径）の外方からの光の進入を防止する。遮光板２３は、導電性を有するものとされており、本実施例では、表面に導電性を有する黒色の塗料が塗布されて形成されている。この遮光板２３は、レンズ２１ａの裏面と、前側ケース１２の保持孔１２ａにおける直交面１２ｇおよびそこと等しい面を形成する間隔環２２の前端面２２ｃと、に接触して設けられる。なお、以下では、撮像光学系２０における光学的な軸線、すなわち光学素子群２１（保持孔１２ａ）の中心軸位置となる各レンズ２１ａ〜２１ｆ（絞り２２ｂを含む）の回転対称軸を、撮像光学系２０すなわち撮像装置１０の撮影光軸ＯＡとする。
【００２６】
その保持孔１２ａに挿入された光学素子群２１は、抜止部材２４により、大内径部１２ｄ側の開口から脱落することが防止される。この抜止部材２４は、対物レンズとなるレンズ２１ａの外周面を取り巻くことが可能な大きさ寸法とされた円筒状を呈し、前端部２４ａ（被写体側の端部）がレンズ２１ａの表面（前面）の周縁部（有効径の外側位置）に外方（前側）から接触可能な径寸法とされている。また、抜止部材２４は、後端部２４ｂにネジ山が設けられており、前側ケース１２の取付溝１２ｃのネジ山に噛み合わせることが可能とされている。この抜止部材２４は、保持孔１２ａに間隔環２２とともに光学素子群２１が適切に挿入され、かつ封止用環状溝１２ｂに環状の封止部材２５が配置された状態において、後端部２４ｂのネジ山が取付溝１２ｃのネジ山に噛み合わされることにより、レンズ２１ａを裏面側（後側ケース１３側（像面側））へと押圧しつつ当該レンズ２１ａを覆うように前側ケース１２に取り付けられる。封止用環状溝１２ｂに設けられる封止部材２５は、弾性材料で形成されており、本実施例ではＯリングとされている。
【００２７】
これにより、レンズ２１ａの裏面が遮光板２３を介在させて保持孔１２ａの直交面１２ｇに押し当てられ、その裏面と封止用環状溝１２ｂとの間に配置された封止部材２５が適切に圧縮される。このため、撮像光学系２０では、適切に圧縮された封止部材２５により、レンズ２１ａの周囲から保持孔１２ａへの水や塵埃等の侵入が防止されており、十分な封止性能を有している。このように、撮像光学系２０では、前側ケース１２（保持孔１２ａ）により封止的に光学素子群２１（その対物レンズとなるレンズ２１ａ）が保持され、所望の光学性能を有している。このとき、保持孔１２ａにおける中内径部１２ｅおよび直交面１２ｇと、間隔環２２における撮影光軸ＯＡ方向での大きさ寸法および前端面２２ｃと、が上述したように設定されていることから、レンズ２１ａの裏面には、径方向で見て、封止部材２５よりも内側において、遮光板２３を介在させて間隔環２２の前端面２２ｃが当てられている。このため、間隔環２２は、抜止部材２４により固定されたレンズ２１ａと、前側ケース１２の保持孔１２ａ（その中内径部１２ｅと小内径部１２ｆとの段差）と、により、その保持孔１２ａ内に固定されている。この撮像光学系２０の光学素子群２１の結像位置に、電子回路ユニット３０（後述する撮像素子３１）が配置される。
【００２８】
電子回路ユニット３０は、撮像素子３１、第１基板３２、第２基板３３およびシールドケース３４を有する。その撮像素子３１は、ＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等を用いて構成された固体撮像素子であり、撮像光学系２０（光学素子群２１）を通して受光面３１ａ上に結像された被写体像を電気信号（画像データ）に変換して出力する。この撮像素子３１から出力された電気信号は、被写体像に対応したデジタル画像データに生成されて出力される。撮像素子３１は、撮像光学系２０（光学素子群２１）として設定された光学性能を効率よく発揮させるべく、その撮像光学系２０（光学素子群２１）により形成された被写体像が、実質的な受光領域を形成する受光面３１ａ上の適切な位置に存在するように、撮像光学系２０（その保持のための保持孔１２ａ）に対する位置が設定されて第１基板３２に設けられている。
【００２９】
その第１基板３２は、明確な図示は略すが全体に矩形の板状を呈し、被写体側すなわち撮像光学系２０側となる前面に撮像素子３１が実装されるとともに、後面にコンデンサや抵抗等の電子部品３２ａが実装されている。この第１基板３２は、図示を略す固定用部材を介して、前側ケース１２の４つの支持壁部１２ｉの後端面に撮影光軸ＯＡに略直交して固定される。第１基板３２の後面には、コネクタ部材３２ｂが設けられている。この第１基板３２の後側（後側ケース１３の後端側）に、第２基板３３が設けられている。
【００３０】
第２基板３３は、明確な図示は略すが全体に矩形の板状を呈し、被写体側すなわち撮像光学系２０側となる前面にコンデンサや抵抗等の電子部品３３ａおよびコネクタ部材３３ｂが実装されるとともに、後面にコンデンサや抵抗等の電子部品３３ｃが実装されている。この第２基板３３は、第１基板３２の後側（後側ケース１３の後端側）で、当該第１基板３２と並列に設けられており、コネクタ部材３３ｂがコネクタ部材３２ｂに接続されることにより、第１基板３２と電気的に接続されている。また、第２基板３３では、後面にコネクタ部材３３ｄが実装されている。このコネクタ部材３３ｄは、コネクタ部１４ａを介して後側ケース１３の後端面に固定される接続コード１４と第２基板３３との電気的な接続を可能とするものである。
【００３１】
この第１基板３２および第２基板３３では、それぞれに設けられた電子部品３２ａ、３３ａおよび３３ｃにより所定の電子回路を構成している。この電子回路は、撮像素子３１における動作の制御や撮像素子３１から出力された電気信号に基づく被写体像に対応したデジタル画像データの生成等を行い、そのデジタル画像データを所定の信号（例えば、ＶＧＡ（Ｖｉｄｅｏ  Ｇｒａｐｈｉｃｓ  Ａｒｒａｙ）に対応するビデオ信号や、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）やＰＡＬ（Ｐｈａｓｅ  Ａｌｔｅｒｎａｔｉｎｇ  Ｌｉｎｅ）に対応するビデオ信号）に変換して接続コード１４へと出力する。また、この電子回路は、撮像素子３１や各電子部品３２ａ、３３ａおよび３３ｃを駆動させるべく、それらに接続コード１４（その電力線１４ｄ（図４参照））から供給された電力を供給する電源回路としても機能する。このため、電子回路ユニット３０は、撮像素子３１で取得した画像を、ビデオ信号として出力することができる。このように、２層の基板３２、３３を設ける構成としているのは、要求される性能を満たしつつ撮像装置１０の小型化を図るためである。このことから、電子回路の構成のための基板は、１層のみの構造であってもよく、多層設けるものであってもよく、実装する各電子部品の数や大きさ形状等を勘案して適宜設定すればよい。この撮影光軸ＯＡ方向に並列されて電気的に接続された２つの基板３２、３３を取り囲むように、シールドケース３４が設けられている。
【００３２】
シールドケース３４は、上述した電子回路から周囲へと電磁波が放出されることや、周辺から電子回路への電磁波の影響を防止するための電磁シールドを構成する。このシールドケース３４は、導電性を有する材料で形成され、かつ上述した電子回路における基準電位もしくはグランドレベルに電気的に接続される。シールドケース３４は、金属材料から形成され、本実施例では、アルミニウムで形成されている。このシールドケース３４は、フロント板金部３５と本体板金部３６とリア板金部３７とを備える。
【００３３】
そのフロント板金部３５は、シールドケース３４における間隔環２２への接触箇所を構成する。フロント板金部３５は、本実施例では、アルミニウムからなる薄板状を呈する。このフロント板金部３５は、前側ケース１２の４つの第２接触用溝１２ｋに対応して４つ設けられており、各第２接触用溝１２ｋに対応する４箇所で前側ケース１２に埋設されている。各フロント板金部３５は、第１接触用溝１２ｊと第２接触用溝１２ｋとを径方向で掛け渡しており、一端部３５ａが第１接触用溝１２ｊ内に配されるとともに、他端部３５ｂが第２接触用溝１２ｋ内に配されている。その一端部３５ａは、第１接触用溝１２ｊ内において、径方向に対して後側（後側ケース１３の後端側）へと屈曲されている。また、他端部３５ｂは、第２接触用溝１２ｋ内において、径方向に対して前側（被写体側）へと屈曲されており、その先端が保持孔１２ａにおける中内径部１２ｅの内周面に対して径方向の内側へと所定の量だけ突出されている。その所定の量とは、間隔環２２の中内径部１２ｅへの配置を阻害することを防止しつつ、その中内径部１２ｅに配置された間隔環２２への接触を可能とすることをいう。
【００３４】
本体板金部３６は、アルミニウムからなる薄板状の部材が折り曲げられて形成されており、明確な図示は略すが撮影光軸ＯＡに直交する方向で見た断面が略矩形状を呈する筒状とされている。その本体板金部３６は、撮影光軸ＯＡを取り巻く方向で電子回路ユニット３０を取り囲むことを可能としつつ、後側ケース１３の周壁部１３ｂ内に嵌め入れることが可能な形状および大きさ寸法とされている。このため、本体板金部３６は、電子回路ユニット３０における撮影光軸ＯＡに平行な外周面を形成している。この本体板金部３６は、基端部３６ａが、前側ケース１２の４つの支持壁部１２ｉ（図３では、３つのみ図示）を取り囲みつつ第１接触用溝１２ｊ内に挿入されることにより、前側ケース１２に取り付けられる。このとき、基端部３６ａは、第１接触用溝１２ｊ内において、フロント板金部３５の一端部３５ａに接触することが可能とされている。この本体板金部３６は、明確な図示は略すが、第２基板３３において径方向に突出して設けられた突起部を受け入れる支持部が設けられており、内方に収容した第２基板３３との固定が可能とされている。また、本体板金部３６は、図示は略すが、内方に収容した第２基板３３の各電子部品が形成する所定の電子回路における回路基準電位に電気的に接続される。本体板金部３６は、本実施例では、第２基板３３に設けられた電子回路の回路基準電位との接続線（図示せず）に電気的に接続される。
【００３５】
リア板金部３７は、アルミニウムからなる薄板状の部材が折り曲げられてから形成されており、図示は略すが撮影光軸ＯＡに直交する方向で見て略矩形状を呈する板状とされている。このリア板金部３７は、奥壁部１３ａ（その内壁面）と平行とされて後側ケース１３に固定される。リア板金部３７には、複数の接続突起部３７ａ（図３では、２つのみ図示）と受入穴部３７ｂとが設けられている。各接続突起部３７ａは、本体板金部３６とリア板金部３７との接触箇所を構成するものであり、リア板金部３７の一部が前側（第２基板３３側）へと突出されて形成されている。この各接続突起部３７ａは、後述するように組みつけられた状態において本体板金部３６の後端部３６ｂが押し当てられる。受入穴部３７ｂは、第２基板３３に実装されたコネクタ部材３３ｄを通すことを可能とする。この受入穴部３７ｂは、本実施例では、コネクタ部材３３ｄが挿入されると、そこに設けられたアース線（図示せず）と電気的に接続される。そのアース線は、図示は略すが、コネクタ部材３３ｄに接続コード１４のコネクタ部１４ａが接続されると、接続コード１４におけるアース線１４ｅ（図４参照）と電気的に接続される電線である。
【００３６】
次に、この撮像装置１０の組み付け手順（方法）について説明する。
【００３７】
撮像装置１０では、先ず、間隔環２２および光学素子群２１を前側ケース１２の保持孔１２ａに挿入する。詳細には、レンズ２１ｆ、レンズ２１ｅおよびレンズ２１ｄの順に、それらを保持孔１２ａの小内径部１２ｆに挿入し、レンズ２１ｃおよびレンズ２１ｂの順にそれらが挿入された間隔環２２を保持孔１２ａの中内径部１２ｅに挿入する。すると、中内径部１２ｅの内周面を開口する各第２接触用溝１２ｋでは、各フロント板金部３５の他端部３５ｂ（その先端）が、間隔環２２（その外周面）に接触する。
【００３８】
その後、封止用環状溝１２ｂに封止部材２５を配置しつつレンズ２１ａおよび遮光板２３を保持孔１２ａの大内径部１２ｄに挿入し、抜止部材２４の後端部２４ｂ（そのネジ山）を取付溝１２ｃ（そのネジ山）に噛み合わせて、撮像光学系２０を前側ケース１２に保持させる。すると、上述したように、封止部材２５が適切に圧縮されて、前側ケース１２の外表面Ｓ側からの、前側ケース１２と撮像光学系２０（レンズ２１ａ）との間での水や塵埃等の侵入が防止され、十分な封止性能を有することとなる（図３参照）。また、径方向で見た封止部材２５よりも内側では、レンズ２１ａの裏面と間隔環２２の前端面２２ｃとが遮光板２３を介在させて接触される。
【００３９】
次に、第１基板３２に撮像素子３１、電子部品３２ａおよびコネクタ部材３２ｂを実装し、その撮像素子３１が撮像光学系２０に対してピント調整が為された状態となるように第１基板３２を位置決めする。この位置決めした第１基板３２を、前側ケース１２の４つの支持壁部１２ｉに図示を略す固定用部材を介して固定する。その前側ケース１２の４つの支持壁部１２ｉを取り囲みつつ第１接触用溝１２ｊに、筒状の本体板金部３６の基端部３６ａを挿入して、本体板金部３６を前側ケース１２に固定する。すると、本体板金部３６の基端部３６ａは、第２接触用溝１２ｋ内において、各フロント板金部３５の一端部３５ａに押し当てられる。
【００４０】
次に、第２基板３３に、電子部品３３ａ、コネクタ部材３３ｂ、電子部品３３ｃおよびコネクタ部材３３ｄを実装する。その第２基板３３を本体板金部３６内に挿入し、そのコネクタ部材３３ｂを前側ケース１２に支持された第１基板３２のコネクタ部材３２ｂに接続する。その後、第２基板３３の突起部（図示せず）を本体板金部３６の支持部（図示せず）に挿入して、本体板金部３６と第２基板３３とを固定する。このとき、本体板金部３６では、第２基板３３を内方に収容する際、第１基板３２を含む両基板に実装された各電子部品により形成された所定の電子回路における回路基準電位に電気的に接続される。本実施例では、図示は略すが第２基板３３に設けられた回路基準電位との接続線を、本体板金部３６に電気的に接続する。
【００４１】
これにより、各基板（３２および３３）により撮像素子３１を有する所望の電子回路が形成され、本体板金部３６に囲まれた電子回路ユニット３０（この例では前側ケース１２に取り付けられている）が構成される。
【００４２】
次に、後側ケース１３にリア板金部３７を取り付け、その受入穴部３７ｂに第２基板３３に実装したコネクタ部材３３ｄを通しつつ前側ケース１２に取り付けられた電子回路ユニット３０を、相対的に撮影光軸ＯＡに沿って後側ケース１３内へと挿入し、電子回路ユニット３０を後側ケース１３内に嵌め込む。すると、本体板金部３６の後端部３６ｂがリア板金部３７の各接続突起部３７ａに押し当てられるとともに、受入穴部３７ｂとコネクタ部材３３ｄのアース線（図示せず）とが電気的に接続される。この後、前側ケース１２の後端面と後側ケース１３の前端面との間に封止部材１５を介在させつつ前側ケース１２と後側ケース１３とを固定することにより、前側ケース１２と後側ケース１３とを封止的に結合する。
【００４３】
次に、後側ケース１３との間にＯリング１４ｂを介在させつつコネクタ部１４ａを電子回路ユニット３０の第２基板３３のコネクタ部材３３ｄと電気的に接続して、後側ケース１３に接続コード１４を封止的に接続する。これにより、筐体１１により前側ケース１２の裏面側における外方からの撮像光学系２０および電子回路ユニット３０への防水機能および防塵機能を有する撮像装置１０（図３参照）が組み付けられる。このことから、撮像装置１０では、絶縁物からなり封止性能を有する収容部材としての筐体１１に、撮像光学系２０および電子回路ユニット３０が収容されて形成されている。その筐体１１の内方には、各フロント板金部３５と、その一端部３５ａに基端部３６ａが押し当てられた本体板金部３６と、その後端部３６ｂが各接続突起部３７ａに押し当てられたリア板金部３７と、により、電子回路ユニット３０を取り囲みつつその電子回路における回路基準電位に電気的に接続された電磁シールドが形成されている。なお、この組み付け方法は、本実施例に限定されるものではない。
【００４４】
この撮像装置１０は、後側ケース１３の両取付突起１３ｃを介して所望の箇所に取り付けることが可能である。撮像装置１０は、例えば、図５に示すように、車両Ｃの後部のバンパやナンバプレート周辺等に設置することで、乗員特に運転手による車両後方の視認の支援のための後方視認支援機構８０を構成する車載カメラとして用いることができる。この後方視認支援機構８０では、撮像装置１０は、車両Ｃの後方斜め下側の領域を画像中心とする広角な範囲を撮影対象とすべく、車両Ｃの後端位置（図示の例ではトランクリッドの後端面の上部）で車両Ｃの後方斜め下側へ向けて設けられている。
【００４５】
後方視認支援機構８０は、接続コード１４を介して撮像装置１０に接続された制御部８１と、その制御部８１を介して撮像装置１０と接続されたモニタ８２と、を有する。この後方視認支援機構８０では、制御部８１が撮像装置１０（その接続コード１４）から出力された電気信号（画像データ）に基づいて、車両後方の画像をモニタ８２に表示させる。制御部８１は、図示は略すが、車両Ｃの変速ギア（図示せず）がバック（リバース）へと切り換えられたときや、車両後方の画像を表示する旨の信号が入力されたときに、撮像装置１０で取得された車両後方の画像をモニタ８２に表示させる。モニタ８２は、車両Ｃの車室内において、乗員特に運転手による視認を容易とする位置に設けられた表示部である。このモニタ８２は、図示は略すがナビゲーションシステムの表示部としての機能を兼用するものであってもよい。このため、乗員特に運転手は、車両Ｃの後方確認が必要なときに、モニタ８２の画像により車両Ｃの後方を容易に認識することができるので、後方視認支援機構８０は、車両後方の視認の支援をすることができる。
【００４６】
この後方視認支援機構８０では、撮像装置１０の接続コード１４（そのアース線１４ｅ）に接続された制御部８１を介して、その接続コード１４が車両Ｃにおける基準電位位置としての、当該車両Ｃを構成するボディに接続されている。このため、後方視認支援機構８０に用いられた撮像装置１０では、車両Ｃのボディが外部基準電位位置となり、電子回路ユニット３０の電子回路における回路基準電位が外部基準電位と等しくされている。
【００４７】
この撮像装置１０では、撮像光学系２０の光学素子群２１において最も被写体（物体）側に位置する第１レンズ（対物レンズ）すなわち表面で撮像装置１０の外表面の一部を構成するレンズ２１ａの裏面が、遮光板２３、間隔環２２およびシールドケース３４を介して、回路基準電位（外部基準電位）に電気的に接続されている。詳細には、レンズ２１ａの裏面には、導電性を有する遮光板２３を介在させて同じく導電性を有する間隔環２２の前端面２２ｃが接触し、その間隔環２２（その外周面）には、前側ケース１２に設けられた各フロント板金部３５の他端部３５ｂが接触し、その各フロント板金部３５には、一端部３５ａに本体板金部３６の基端部３６ａが接触している。その本体板金部３６は、第２基板３３に設けられた回路基準電位との接続線（図示せず）に電気的に接続しているとともに、後端部３６ｂがリア板金部３７の各接続突起部３７ａに押し当てられており、そのリア板金部３７が受入穴部３７ｂからコネクタ部材３３ｄのアース線（図示せず）を介して接続コード１４におけるアース線１４ｅと電気的に接続されている。このため、レンズ２１ａの裏面は、回路基準電位（外部基準電位）に電気的に接続されている。すると、レンズ２１ａでは、静電気に起因して塵埃が付着することを抑制することができる。これは、以下のことが考えられる。
【００４８】
撮像装置１０のように、絶縁物である収容部材（筐体１１）に保持されているレンズ２１ａでは、図６（ａ）に示すように、表面に静電気が帯電すると、その静電気を逃がすことができないので、当該表面に帯電した極性とは逆側の極性で帯電した空気中の塵埃を吸着させてしまう。しかしながら、本発明に係る撮像装置１０では、レンズ２１ａの裏面に設けられた導電性を有する遮光板２３が、間隔環２２およびシールドケース３４を介して、回路基準電位（外部基準電位）に電気的に接続されていることから、図６（ｂ）に示すように、レンズ２１ａの表面に静電気が帯電しても、裏面（遮光板２３）に逆側の極性の電荷を供給することができ、レンズ２１ａにおいて電位を中和することができる。このため、裏面が回路基準電位（外部基準電位）とされたレンズ２１ａでは、帯電した空気中の塵埃を吸着することを抑制することができる。
【００４９】
このように、撮像装置１０では、その外表面の一部を構成する第１レンズとしてのレンズ２１ａの裏面が、導電性部材を介して基板に実装された各電子部品による所定の電子回路における回路基準電位に電気的に接続されていることから、レンズ２１ａの表面に静電気に起因して塵埃が付着することを抑制することができる。
【００５０】
また、撮像装置１０では、レンズ２１ａの裏面と回路基準電位とを接続する導電性部材として、電子回路から周囲へと電磁波が放出されることや、周辺から電子回路への電磁波の影響を防止するための電磁シールドを構成すべく、電子回路における回路基準電位に電気的に接続されているシールドケース３４を利用していることから、部品点数の増加を防止しつつレンズ２１ａの表面に静電気に起因して塵埃が付着することを抑制することができる。
【００５１】
さらに、撮像装置１０では、レンズ２１ａの裏面と回路基準電位とを接続する導電性部材として、撮像光学系２０の光学素子群２１の各レンズ（本実施例では、レンズ２１ａ、レンズ２１ｂ、レンズ２１ｃおよびレンズ２１ｄ）における互いの対向面間の撮影光軸ＯＡ方向の間隔を所定の値に保持する間隔環２２を、導電性を有する構成として利用していることから、部品点数の増加を防止しつつレンズ２１ａの表面に静電気に起因して塵埃が付着することを抑制することができる。
【００５２】
撮像装置１０では、レンズ２１ａの裏面と回路基準電位とを接続する導電性部材として、光学素子群２１においてレンズ２１ａと他のレンズとの対向面間の撮影光軸ＯＡ方向の間隔を所定の値に保持すべくレンズ２１ａの裏面に前端面２２ｃが接触される間隔環２２を導電性を有する構成として利用していることから、レンズ２１ａの裏面と間隔環２２との接触のためだけの新たな構成を必要としないので、簡易な構成としつつレンズ２１ａの表面に静電気に起因して塵埃が付着することを抑制することができる。
【００５３】
撮像装置１０では、間隔環２２を導電性を有するものとするとともに、シールドケース３４の各フロント板金部３５を間隔環２２と本体板金部３６とを電気的に接続させる構成とするだけで、導電性部材として間隔環２２およびシールドケース３４を利用することを可能としていることから、簡易な構成としつつレンズ２１ａの表面に静電気に起因して塵埃が付着することを抑制することができる。
【００５４】
撮像装置１０では、間隔環２２の前端面２２ｃを、径方向で見た封止部材２５よりも内側でレンズ２１ａの裏面に接触させている（本実施例では、遮光板２３を介在させている）ことから、その封止部材２５により筐体１１を全方位に対して封止性能を有するものとすることができるとともに、その封止部材２５により静電気に起因してレンズ２１ａの表面に塵埃が付着することを抑制すべくレンズ２１ａの裏面を回路基準電位とすることが阻害されることを防止することができる。
【００５５】
撮像装置１０では、レンズ２１ａの裏面に沿って導電性を有する遮光板２３を設けているとともに、その遮光板２３を介してレンズ２１ａの裏面と間隔環２２（その前端面２２ｃ）とを接触させているので、レンズ２１ａの裏面と間隔環２２（その前端面２２ｃ）との接触抵抗が大きい場合であっても、レンズ２１ａの裏面を回路基準電位とすることができる。
【００５６】
撮像装置１０では、レンズ２１ａの裏面に沿って導電性を有する遮光板２３を設けているとともに、その遮光板２３を介してレンズ２１ａの裏面と間隔環２２（その前端面２２ｃ）とを接触させているので、レンズ２１ａの裏面のうち遮光板２３が存在する領域をより確実に回路基準電位とすることができるので、レンズ２１ａの裏面において広い範囲を安定して回路基準電位とすることができる。このため、より効率よく静電気に起因してレンズ２１ａの表面に塵埃が付着することを抑制することができる。
【００５７】
撮像装置１０では、基板に実装された各電子部品による電子回路が接続コード１４におけるアース線１４ｅと電気的に接続されているとともに、シールドケース３４のリア板金部３７（その受入穴部３７ｂ）がコネクタ部材３３ｄのアース線（図示せず）を介して接続コード１４におけるアース線１４ｅと電気的に接続されており、そのアース線１４ｅが外部基準電位位置となる車両Ｃのボディに接続されていることから、より安定してレンズ２１ａの表面に静電気に起因して塵埃が付着することを抑制することができる。
【００５８】
撮像装置１０では、光学素子群２１（撮像光学系２０）におけるレンズ２１ａの有効径（有効光束径）の外方からの光の進入を防止する遮光板２３を導電性を有するものとすることにより、レンズ２１ａの裏面と間隔環２２（その前端面２２ｃ）との間に導電性部材を介在させるものであることから、レンズ２１ａの裏面と間隔環２２との接触のためだけの新たな構成を必要としないので、簡易な構成としつつレンズ２１ａの表面に静電気に起因して塵埃が付着することを抑制することができる。
【００５９】
撮像装置１０では、表面に導電性を有する塗料を塗布することにより、遮光板２３を導電性を有するものとしていることから、簡易な構成としつつレンズ２１ａの表面に静電気に起因して塵埃が付着することを抑制することができる。
【００６０】
撮像装置１０では、遮光板２３の表面に塗布する導電性を有する塗料を黒色のものとしていることから、レンズ２１ａの表面から入射した光が乱反射することを抑制することができる。
【００６１】
撮像装置１０では、シールドケース３４が、フロント板金部３５と本体板金部３６とリア板金部３７とで電子回路ユニット３０を取り囲んで構成されて、各基板に実装された各電子部品による所定の電子回路における回路基準電位（外部基準電位）に電気的に接続されていることから、電子回路ユニット３０における電磁シールドを構成することができ、上述した電子回路から周囲へと電磁波が放出されることや、周辺から電子回路への電磁波の影響を防止することができる。すなわち、シールドケース３４は、レンズ２１ａの裏面を回路基準電位（外部基準電位）位置へと接続する導電性部材としての機能を有するとともに、電磁シールドとしての機能を有している。
【００６２】
撮像装置１０では、光学素子群２１（撮像光学系２０）において間隔環２２を導電性を有するものとしているが、その間隔環２２が電磁シールドを構成するシールドケース３４に等しい電位とされていることから、当該間隔環２２が電子回路からの電磁波を放出するアンテナや周辺からの電磁波を受けるアンテナとして作用することを防止することができる。
【００６３】
撮像装置１０では、レンズ２１ａの裏面と回路基準電位もしくは外部基準電位とを接続する導電性部材として、各レンズにおける互いの対向面間の撮影光軸ＯＡ方向の間隔を所定の値に保持する間隔環２２および電磁シールドを構成するシールドケース３４を利用していることから、レンズ２１ａの表面に塵埃が付着することを抑制するためだけに、例えば、レンズ２１ａの裏面と回路基準電位もしくは外部基準電位とをフレキシブル基板で接続することのような新たな部品を付加する必要がないので、小型化を容易なものとすることができる。
【００６４】
撮像装置１０では、封止性能を確保しつつ小型化を可能として、レンズ２１ａの表面への塵埃の付着を抑制する構成であることから、任意の位置に取り付けることが容易であるので、車載カメラや監視カメラとして用いるのに好適である。このように、車両の任意の位置への取り付けが容易であることから、例えば、接続コード１４の配線のし易さを考慮して車両に取り付けることができるので、乗員による後方視認支援機構を構成することも容易なものとすることができる。
【００６５】
したがって、本発明に係る撮像装置１０では、絶縁物からなる収容部材としての筐体１１に収容された撮像光学系２０における第１レンズとしてのレンズ２１ａの表面に塵埃が付着することを抑制することができる。
【００６６】
なお、上記した実施例では、本発明に係る撮像装置の一例としての撮像装置１０について説明したが、撮像光学系により結像された被写体像の取得のための撮像素子を含む電子回路ユニットと、前記撮像光学系において被写体側に配される第１レンズの表面を露見させつつ前記撮像光学系および前記電子回路ユニットを収容する収容部材と、を備える撮像装置であって、前記第１レンズにおける前記表面とは反対側の裏面と、前記電子回路ユニットにおける回路基準電位位置と、を接続する導電性部材を備える撮像装置もしくは車載カメラであればよく、上記した実施例に限定されるものではない。
【００６７】
また、上記した実施例では、撮像光学系２０における第１レンズとしてのレンズ２１ａの裏面に導電性の塗料が塗布された遮光板２３が設けられていたが、この遮光板２３を設けることなくレンズ２１ａの裏面と導電性部材（間隔環２２の前端面２２ｃ）とを直接接触させるものであってもよく、上記した実施例に限定されるものではない。
【００６８】
さらに、上記した実施例では、レンズ２１ａの裏面に設けられた遮光板２３が、導電性の塗料が塗布されることにより導電性を有するものとされていたが、導電性を有する材料（例えば、銅板等）で形成されていてもよく、上記した実施例に限定されるものではない。
【００６９】
上記した実施例では、撮像光学系２０における第１レンズとしてのレンズ２１ａの裏面に導電性の塗料が塗布された遮光板２３が設けられていたが、この遮光板２３に変えてレンズ２１ａの裏面における有効系の外側に導電材料としての導電性を有する塗料を塗布するものであってもよく、上記した実施例に限定されるものではない。このとき、塗布する塗料を黒色のものとすると、レンズ２１ａの裏面と導電性部材（間隔環２２の前端面２２ｃ）とを電気的に接続することに加えて、レンズ２１ａの表面から入射した光が乱反射することを抑制することができる。
【００７０】
上記した実施例では、撮像光学系２０における第１レンズとしてのレンズ２１ａの裏面に導電性の塗料が塗布された遮光板２３が設けられていたが、この遮光板２３に変えてレンズ２１ａの裏面における有効系の外側と導電性部材（間隔環２２の前端面２２ｃ）とを導電材料としての導電性を有する接着材料により接着する構成としてもよく、上記した実施例に限定されるものではない。このような構成とすると、レンズ２１ａの裏面と導電性部材（間隔環２２の前端面２２ｃ）とをより安定して接触させることができるので、レンズ２１ａの表面に塵埃が付着することをより効率よく抑制することができる。
【００７１】
上記した実施例では、撮像光学系２０における第１レンズとしてのレンズ２１ａの裏面に導電性の塗料が塗布された遮光板２３が設けられていたが、この遮光板２３に変えてレンズ２１ａの裏面に、透明であって導電性の薄膜を蒸着させるものであってもよく、上記した実施例に限定されるものではない。この透明の導電性の薄膜としては、例えば、ＩＴＯ（酸化インジウムスズ）を用いることができる。このような透明の導電性の薄膜は、極めて薄いものとすることができることから、レンズ２１ａ（第１レンズ）に入射する光の光路に殆ど影響を与えることがないため、当該光路の設計の変更を必要としないので、製作工程数の増加を最小限に抑えることができる。このような構成とすると、レンズ２１ａの裏面において広い範囲を安定して回路基準電位（外部基準電位）とすることができるので、より効率よく静電気に起因してレンズ２１ａの表面に塵埃が付着することを抑制することができる。
【００７２】
上記した実施例では、導電性部材として、遮光板２３、間隔環２２およびシールドケース３４を利用していたが、レンズ２１ａの裏面と回路基準電位（外部基準電位）とを電気的に接続するものであれば、例えば、樹脂製の筐体の内部を金属膜で覆ったもので構成したシールドケースを利用するものであってもよく、上記した実施例に限定されるものではない。
【００７３】
上記した実施例では、導電性部材としての間隔環２２がレンズ２１ａと他のレンズとの間隔を規定するものとされていたが、異なるレンズの間隔を規定するものであってもよく、上記した実施例に限定されるものではない。しかしながら、上記した実施例のように、光学素子群２１（撮像光学系２０）における最も被写体側に配される第１レンズ（レンズ２１ａ）と他のレンズとの間隔を規定するものとすると、レンズ２１ａの裏面に接触させて間隔環２２を設けることができ、他の導電性部材を用いることなくレンズ２１ａの裏面を回路基準電位（外部基準電位）とを接続することができる。
【００７４】
上記した実施例では、間隔環２２がアルミニウムで形成されていたが、レンズ２１ａの裏面と回路基準電位（外部基準電位）とを接続すべく導電性を有するものとすることができれば、他の導電性部材（例えば、ステンレス材）で形成してもよく、表面に導電性材料を塗布するものであってもよく、上記した実施例に限定されるものではない。
【００７５】
上記した実施例では、レンズ２１ａの裏面を、各基板に実装された各電子部品により形成された所定の電子回路における回路基準電位（外部基準電位）に接続するものとされていたが、グランドレベルに電気的に接続するものであってもよく、上記した実施例に限定されるものではない。
【００７６】
上記した実施例では、収容部材として撮像光学系２０を支持する前側ケース１２と電子回路ユニット３０を収容する後側ケース１３とを有する筐体１１が用いられていたが、収容部材は、絶縁体で形成され、第１レンズ（レンズ２１ａ）の表面を露見させつつ撮像光学系２０および前記電子回路ユニット３０を収容するものであればよく、上記した実施例に限定されるものではない。
【００７７】
上記した実施例では、撮像装置１０は、後方視認支援機構８０を構成する車載カメラとして用いることを述べたが、例えば、車両における事故の状況を記録するためのドライブレコーダーとしての車載カメラや、車両の車室内の監視カメラや、ＡＴＭに搭載する監視カメラや、トイカメラ等として広く適用することができ、上記した実施例に限定されるものではない。
【００７８】
以上、本発明の撮影装置を実施例に基づき説明してきたが、具体的な構成については、この実施例に限られるものではなく、本発明の要旨を逸脱しない限り、設計の変更や追加等は許容される。
【符号の説明】
【００７９】
１０  撮像装置
１１  （収納部材の一例としての）筐体
１４  （接続部の一例としての）接続コード
２０  撮像光学系
２１ａ  （第１レンズの一例としての）レンズ
２２  間隔環
２３  （導電性部材の一例としての）遮光板
３０  電子回路ユニット
３１  撮像素子
３４  （電磁シールドの一例としての）シールドケース
３５  （導電性部材を構成する電磁シールドの一例としての）フロント板金部
３６  （導電性部材を構成する電磁シールドの一例としての）本体板金部
３７  （導電性部材を構成する電磁シールドの一例としての）リア板金部
ＯＡ  撮影光軸
【先行技術文献】
【特許文献】
【００８０】
【特許文献１】特開２００６−１５３９９３号公報
【図１】
0005862225.tif 000002
【図２】
0005862225.tif 000003
【図３】
0005862225.tif 000004
【図４】
0005862225.tif 000005
【図５】
0005862225.tif 000006
【図６】
0005862225.tif 000007